(57)【要約】【課題】単純な層構成でありながら、意匠性に優れ、偽造防止効果を備えた磁気記録用カードを提供することを目的とする。【解決手段】薄板状の透明基材の片側全面に透明基材側から透明樹脂による光回折構造層，透明反射層，透明保護層が順次形成され、残る片側全面に黒色系の磁気記録層が形成された磁気記録用カード、および、透明反射層と透明保護層の間又は透明保護層の表出面に、さらに、印刷層が形成された磁気記録用カードを提供する。【選択図】  図１
2010046840.tif 000002
【特許請求の範囲】
【請求項１】
薄板状の透明基材の片側全面に透明基材側から透明樹脂による光回折構造層，透明反射層，透明保護層が順次形成され、残る片側全面に黒色系の磁気記録層が形成されたことを特徴とする磁気記録用カード。
【請求項２】
請求項１に記載の磁気記録用カードにおいて、
透明反射層と透明保護層の間又は透明保護層の表出面に、さらに、印刷層が形成されたことを特徴とする磁気記録用カード。
【発明の詳細な説明】
【技術分野】
【０００１】
本発明は、意匠性に優れ、偽造が困難で、かつ、磁気記録可能な磁気記録用カードに関する。
【背景技術】
【０００２】
近年、磁気記録部を備え、全面又は一部にホログラムなどの偽造対策を施したカードが利用されている。
このようなカードの中で、磁気記録情報の読取出力が低下することなく、ホログラム形成層の耐久性が得られ、しかもホログラム形成層が隠蔽され、その存在が容易には判らないホログラム隠蔽磁気記録カードが提供されている（例えば、特許文献１参照）。
【０００３】
【特許文献１】特開平１０−１５７３５０号公報
【発明の開示】
【発明が解決しようとする課題】
【０００４】
特許文献１に記載されているホログラム隠蔽磁気記録カードは、磁気記録情報の読取出力が低下することなく、ホログラム形成層の耐久性が得られ、しかもホログラム形成層が隠蔽されその存在が容易には判らないホログラム隠蔽磁気記録カードを提供することにあるとしている。
そこで本発明は、単純な層構成でありながら、意匠性に優れ、偽造防止効果を備えた磁気記録用カードを提供することを目的とする。
【課題を解決するための手段】
【０００５】
前記課題を解決するために、本発明の磁気記録用カードの第一の態様は、薄板状の透明基材の片側全面に透明基材側から透明樹脂による光回折構造層，透明反射層，透明保護層が順次形成され、残る片側全面に黒色系の磁気記録層が形成されたことを特徴とするものである。
【０００６】
また、第二の態様は、第一の態様において、透明反射層と透明保護層の間、又は透明保護層の表出面に、さらに、印刷層が形成されたことを特徴とするものである。
【発明の効果】
【０００７】
１）本発明の磁気記録用カードの第一の態様のように、薄板状の透明基材の片側全面に透明基材側から透明樹脂による光回折構造層，透明反射層，透明保護層が順次形成され、残る片側全面に黒色系の磁気記録層が形成されたことによって、単純な層構成でありながら、意匠性に優れた磁気記録用カードを提供することができる。
本発明のように反射層を透明にし、磁気記録層を黒色、または、黒色に近い茶色とすることによって光回折構造層による図柄が、深みを感じさせる高級感溢れる効果を演出し、カード保持者にはカードを所持する楽しみを提供する。また、カード発行者に対しては、偽造防止効果を伴ったカードとして提供することができる。
２）また、第二の態様のように、第一の態様において、透明反射層と透明保護層の間、又は透明保護層の表出面に、さらに、印刷層が形成されたことによって、デザインのバリエーションを広げることができる。
【発明を実施するための最良の形態】
【０００８】
以下、図面を参照して、本実施の形態の磁気記録用カードの一例について説明する。
図１は、図２のＡ−Ａ線断面図で本実施の形態の磁気記録用カードの一例について説明するための図、図２は、磁気記録用カードのデザイン面の一例について説明するための図，図３は、図２のＡ−Ａ線断面図の他の一例について説明するための図，である。
【０００９】
図１，図２を参照して、本実施の形態の磁気記録用カードの一例について説明する。
本実施の形態の磁気記録用カード１は、薄板状の透明基材１０の片側全面に透明基材側から透明樹脂による光回折構造層１１，透明反射層１２，透明保護層１３が順次形成され、残る片側全面に黒色系の磁気記録層１５が形成されている。
図２で判るように、光回折構造層１１による図柄が、黒色系の磁気記録層１５をバックにしてカラー又は無彩色の幽玄な図柄として視認される。
カラー又は無彩色の図柄の中の「Ｍｅｍｂｅｒ  Ｃａｒｄ」なる文字は光回折構造の図柄の一部としてデザインされている。
【００１０】
「Ｍｅｍｂｅｒ  Ｃａｒｄ」なる文字は、印刷によって表示することもできる。
その場合は、「Ｍｅｍｂｅｒ  Ｃａｒｄ」なる文字（図１における印刷層１４）は、図１に示すように、透明反射層１２と透明保護層１３の間に設けるか、図示しないが透明保護層１３の表出面に設けることができる。
この印刷層１４には、カードの名称が印刷されたり、文字によるカードの取り扱い内容が印刷されたり、カード発行会社の情報、等が印刷される。
印刷層１４には、単色による印刷や、複数色による印刷が施される。
【００１１】
図１を参照して、本実施の形態である磁気記録用カードの作製方法の一例について説明する。
先ず、ロール状の透明基材１０の片側全面に、ロールコーターなどを使用して磁気記録層１５を形成する。磁気記録層１５の表出面に耐久性を付与するための保護層を形成する場合もある。また、磁気記録層１５の表出面又は保護層の表出面に注意文言などの印刷を施す場合もある。
【００１２】
次に、透明基材１０の磁気記録層１５が形成された面の逆面全面に、やはり、ロールコーターなどを使用して光回折構造層１１を形成するための透明な樹脂を形成する。
透明な樹脂層の表面に常温又は加熱した光回折構造の型版（原版）を押し付け、光回折構造の複製（光回折構造層１１）を作製する。
【００１３】
前述の複製された光回折構造層１１の表面に蒸着又はスパッタリング手段によって透明反射層１２を形成する。
【００１４】
さらに、前述の透明反射層１２を保護するために透明保護層１３を形成する。
これまでの一連の工程は、ロール状の透明基材１０を使用して処理してきたが、印刷層１４を形成する場合は、通常、多面付けされたシート状態で、シート用の（枚葉）印刷機によって行う。
印刷層１４を透明反射層１２と透明保護層１３の間に形成する場合は、透明反射層１２が形成されたロール状の透明基材１０を、シートカットし、多面付け状態のシートにし、シート（枚葉）印刷機によって印刷層１４を形成し、印刷層の上から透明保護層１３を印刷又はシートコータによって形成する。
【００１５】
図３を参照して、図２のＡ−Ａ線断面図の他の一例について説明する。
図に示す例は、透明基材１０に使用する材料によって、前述の磁気記録層１５や光回折構造層１１がそのまま形成できない場合があり、これらの層を形成するための接着性を確保するための前処理を行った磁気記録用カードの断面の一例を示したものである。
透明基材１０と磁気記録層１５、透明基材１０と光回折構造層１１の間に、下塗り層１６，１７が形成されている。
下塗り層１６と下塗り層１７に使用される材料は、光回折構造層１１，磁気記録層１５に使用される樹脂によって決定される。
その他の構成については、図１で説明した構成と同様である。
【００１６】
次に、図３を参照して本実施の形態の磁気記録用カードに使用される材料の一例について説明する。
透明基材１０として下記の材料から選択して使用する。
例えば、二軸延伸ポリエチレンテレフタレート，シクロヘキサンジメタノール共重合ポリエチレンテレフタレート（ＰＥＴ−Ｇ），ポリカーボネート，ＡＢＳ，ポリプロピレン，ＰＬＡなどの樹脂フィルムから選択して使用する。
ＰＬＡ（Ｐｏｌｙ  Ｌａｃｔｉｃ  Ａｃｉｄ）は，トウモロコシ，イモ類，ビート，サトウキビなどの植物から取り出したでんぷんを発酵することによって得られるＬ−乳酸をモノマーとして重合させて合成するポリマーである。発酵直後の乳酸には、Ｌ体とＤ体の二つの光学異性体があるが、Ｌ体といわれる立体分子構造の乳酸から得られるポリマーが優れた特性を示すため、Ｌ乳酸が合成原料になる。ＰＬＡは、「生物由来の原料から製造されるために自然にやさしい」，「二酸化炭素の排出制御に役立つ」，「剛性および引っ張り強度が高い」，「透明性が高い」等の特徴がある。
透明基材は、１８０〜５００μｍの厚さのものから選択して使用される。
【００１７】
光回折構造層１１について説明する。
光回折構造層の代表的なものがホログラムである。
ホログラムとし、レインボウホログラム，リップマンホログラム等が代表的なものとして挙げられ、無彩色ホログラム，カラーホログラムが提供されている。
ホログラムは、機械的な切削により、また、電子線照射，レーザー光照射等により原版が作製され、複製される。
光回折構造層１１が形成される樹脂としては、アクリル樹脂，ポリスチレン，ポリカーボネートなどの熱可塑性樹脂、ポリエステル（メタ）アクリレート，ウレタン（メタ）アクリレート，エポキシ（メタ）アクリレート，ポリエーテル（メタ）アクリレート，ポリオール（メタ）アクリレート，メラミン（メタ）アクリレート，トリアジン系アクリレートなどの熱硬化性樹脂をそれぞれ単独、或いは熱可塑性樹脂と混合して使用する。
更には、ラジカル重合性不飽和基を有する熱成形性物質、あるいは、これらにラジカル重合性不飽和単量体を加え電離放射線硬化性としたものなどを使用することができる。
上記の材料を用いて、例えば、干渉縞を表面凹凸のレリーフとして形成する場合には、干渉縞が記録された原版をプレス型として用い、上記樹脂層上に前記原版を重ねて加熱圧着し、光回折構造層１１を形成する。
【００１８】
透明反射層１２は、光回折構造層１１より屈折率が大きい、例えば、ＺｎＳ，ＴｉＯ2，Ａｌ2Ｏ3，Ｓｂ2Ｓ3，ＳｉＯ，ＴｉＯ，ＳｉＯ2等の金属、または、これらの酸化物を使用しスパッタリング、蒸着などの方法によって形成する。
【００１９】
磁気記録層１５は、所定の保持力を有する磁気材料を塗布して形成する。
Ｈｃ（保持力）が７００〜３０００（エルステッド）の磁性体は、黒色に近い色を呈しているが、磁性体が明るい茶色の場合は、黒色系顔料を加え、乾燥後の塗膜が黒色に近くなるようにして使用する。
【００２０】
透明保護層１３は、シリコーン系ゴム，シリコーン樹脂，ポリシロキサングラフトポリマー，紫外線硬化樹脂等から選択して使用し、コーティング又は印刷によって形成する。
【００２１】
印刷層１４は、市販のＵＶ硬化型オフセットインキ、または、スクリーン用インキを使用して形成する。
【００２２】
透明基材１０として、前述のＰＬＡなどの樹脂を使用する場合は、透明基材１０に光回折構造層１１及び磁気記録層１５を形成のための前処理、または、易接着処理を行う。
前処理として、処理面にコロナ処理，オゾン処理，プラズマ処理等の前処理を行う。
前処理を行った表面、または、前処理を行わない状態の透明基材面に下塗り剤として、例えば、イソシアネート系，ポリエチレンイミン系，ポリブタジエン系，有機チタネート系等の樹脂から選択された樹脂をアンカー剤として塗布する。
【産業上の利用可能性】
【００２３】
会員カード、ポイントカード等に利用できる。
【図面の簡単な説明】
【００２４】
【図１】図２のＡ−Ａ線断面図で、本実施の形態の磁気記録用カードの一例について説明するための図である。
【図２】磁気記録用カードのデザイン面の一例について説明するための図である。
【図３】図２のＡ−Ａ線断面図の他の一例について説明するための図である。
【符号の説明】
【００２５】
１      磁気記録用カード
１０    透明基材
１１    光回折構造層
１２    透明反射層
１３    透明保護層
１４    印刷層
１５    磁気記録層
１６，１７  下塗り層
【図１】
2010046840.tif 000003
【図２】
2010046840.tif 000004
【図３】
2010046840.tif 000005